(57)【要約】【課題】単相交流発電機によるバッテリ充電の制御性の向上を図ることが可能なバッテリ充電装置を提供する。【解決手段】バッテリ充電装置の制御回路は、単相交流発電機の回転数が予め設定された規定回転数未満である場合には、単相交流発電機の出力電圧を整流回路により全波整流するように制御し、一方、回転数が規定回転数以上である場合には、単相交流発電機の出力電圧を整流回路により半波整流するように制御する。【選択図】図１
2014131415.tif 000002
【特許請求の範囲】
【請求項１】
単相交流発電機によるバッテリの充電を制御するバッテリ充電装置であって、
前記単相交流発電機の一端が接続される第１の入力端子と、
前記単相交流発電機の他端が接続される第２の入力端子と、
前記バッテリの一端が接続されるバッテリ端子と、
接地が接続される接地端子と、
前記第１および第２の入力端子に入力された前記単相交流発電機の出力電圧を整流して前記バッテリ端子に出力する整流回路と、
前記整流回路を制御する制御回路と、を備え、
前記制御回路は、
前記単相交流発電機の回転数が予め設定された規定回転数未満である場合には、前記単相交流発電機の出力電圧を前記整流回路により全波整流するように制御し、
一方、前記回転数が前記規定回転数以上である場合には、前記単相交流発電機の出力電圧を前記整流回路により半波整流するように制御する
ことを特徴とするバッテリ充電装置。
【請求項２】
前記規定回転数は、
前記単相交流発電機の出力電圧を前記整流回路により半波整流する場合において前記整流回路が前記バッテリ端子に出力する第１の充電電流と、前記単相交流発電機の出力電圧を前記整流回路により全波整流する場合において前記整流回路が前記バッテリ端子に出力する第２の充電電流と、が等しくなる前記単相交流発電機の回転数である
ことを特徴とする請求項１に記載のバッテリ充電装置。
【請求項３】
前記整流回路は、
前記第１の入力端子にアノードが接続され、前記バッテリ端子にカソードが接続された第１の整流素子と、
前記接地端子にアノードが接続され、前記第１の入力端子にカソードが接続された第２の整流素子と、
前記第２の入力端子にアノードが接続され、前記バッテリ端子にカソードが接続された第３の整流素子と、
前記接地端子にアノードが接続され、前記第２の入力端子にカソードが接続された第４の整流素子と、を有し、
前記制御回路は、
前記単相交流発電機の回転数が予め設定された規定回転数未満である場合には、前記第１から第４の整流素子に電流が流れる状態に制御し、
一方、前記回転数が前記規定回転数以上である場合には、前記第２の整流素子と前記第３の整流素子に電流が流れる状態に制御し、且つ、前記第１の整流素子と前記第４の整流素子の少なくとも何れか一方を電流が流れない状態に制御する
ことを特徴とする請求項１または２に記載のバッテリ充電装置。
【請求項４】
前記制御回路は、
前記単相交流発電機の回転数を検出し、検出した前記回転数に応じて、前記第１から第４の整流素子の少なくとも１つの動作を制御する回転数検出回路を有し、
前記回転数検出回路は、
前記回転数が前記規定回転数未満である場合には、前記第１から第４の整流素子に電流が流れる状態に制御し、
一方、前記回転数が前記規定回転数以上である場合には、前記第２の整流素子と前記第３の整流素子に電流が流れる状態に制御し、且つ、前記第１の整流素子と前記第４の整流素子の少なくとも何れか一方を電流が流れない状態に制御する
ことを特徴とする請求項３に記載のバッテリ充電装置。
【請求項５】
前記制御回路は、
前記バッテリのバッテリ電圧を検出する電圧検出回路をさらに有し、
前記電圧検出回路は、
検出した前記バッテリ電圧が予め設定された目標電圧未満の場合には、少なくとも前記第２の整流素子または前記第４の整流素子の何れか一方に電流が流れる状態に制御し、
一方、検出した前記バッテリ電圧が前記目標電圧以上の場合には、前記第１から第４の整流素子に電流が流れない状態に制御する
ことを特徴とする請求項３に記載のバッテリ充電装置。
【請求項６】
前記第１および第３の整流素子は、ダイオードであり、前記第２および第４の整流素子は、サイリスタであることを特徴とする請求項１に記載のバッテリ充電装置。
【請求項７】
前記バッテリ端子と前記接地との間にスイッチ回路とランプとが直列に接続されることを特徴とする請求項１に記載のバッテリ充電装置。
【請求項８】
単相交流発電機によるバッテリの充電を制御するバッテリ充電装置であって、前記単相交流発電機の一端が接続される第１の入力端子と、前記単相交流発電機の他端が接続される第２の入力端子と、前記バッテリの一端が接続されるバッテリ端子と、接地が接続される接地端子と、前記第１および第２の入力端子に入力された前記単相交流発電機の出力電圧を整流して前記バッテリ端子に出力する整流回路と、前記整流回路を制御する制御回路と、を備えたバッテリ充電装置によるバッテリ充電方法であって、
前記単相交流発電機の回転数が予め設定された規定回転数未満である場合には、前記単相交流発電機の出力電圧を前記整流回路により全波整流するように制御し、
一方、前記回転数が前記規定回転数以上である場合には、前記単相交流発電機の出力電圧を前記整流回路により半波整流するように制御する
ことを特徴とするバッテリ充電方法。
【発明の詳細な説明】
【技術分野】
【０００１】
本発明は、バッテリ充電装置、および、バッテリ充電方法に関する発明である。
【背景技術】
【０００２】
従来、例えば、三相交流発電機の出力電圧を整流回路により整流してバッテリに供給して充電するバッテリ充電装置が提案されている（例えば、特許文献１参照。）。
【０００３】
この従来のバッテリ充電装置は、バッテリ電圧を検出し、目標値に充電を制御する。
【０００４】
また、他の従来技術として、バッテリ充電システム１０００Ａの単相交流発電機ＧによるバッテリＢの充電を制御するバッテリ充電装置１００Ａがある（図３）。
【０００５】
このバッテリ充電装置１００Ａは、単相交流発電機Ｇの出力電圧を、ダイオードＳ１、Ｓ３、およびサイリスタＳ２、Ｓ４からなる整流回路Ｘにより全波整流し（図４）、この全波整流した電流をバッテリＢに供給することにより、バッテリＢを充電する。
【先行技術文献】
【特許文献】
【０００６】
【特許文献１】特開２００６−１４１１４３号公報
【発明の概要】
【発明が解決しようとする課題】
【０００７】
上記単相交流発電機Ｇに適用されるバッテリ充電装置１００Ａ（図３）は、単相交流発電機Ｇの回転数に関係無く、単相交流発電機Ｇの出力電圧を、整流回路Ｘにより全波整流する（図４）。
【０００８】
そして、単相交流発電機Ｇは、例えば、バイクのエンジンに直結駆動されるオルタネータに適用される場合がある。このような用途の場合、単相交流発電機Ｇの回転数が低回転から高回転まで大きく変動する。
【０００９】
例えば、単相交流発電機Ｇの回転数が低回転から中回転（例えば、６０００ｒ／ｍｉｎ）までは、単相交流発電機Ｇの回転数が増加すると、整流回路Ｘがバッテリ端子に出力する充電電流が大きく増加する（図４）。
【００１０】
しかし、単相交流発電機Ｇの回転数が高回転になっても、充電電流があまり増加しない（図４）。
【００１１】
このように、上記従来のバッテリ充電装置１００Ａでは、単相交流発電機Ｇの回転数が高回転（例えば、１００００ｒ／ｍｉｎ）であっても、中回転と同等の充電電流しか得ることができない問題がある。
【課題を解決するための手段】
【００１２】
本発明の一態様に係る実施例に従ったバッテリ充電装置は、
単相交流発電機によるバッテリの充電を制御するバッテリ充電装置であって、
前記単相交流発電機の一端が接続される第１の入力端子と、
前記コイルの他端が接続される第２の入力端子と、
前記単相交流発電機の一端が接続されるバッテリ端子と、
接地が接続される接地端子と、
前記第１および第２の入力端子に入力された前記単相交流発電機の出力電圧を整流して前記バッテリ端子に出力する整流回路と、
前記整流回路を制御する制御回路と、を備え、
前記制御回路は、
前記単相交流発電機の回転数が予め設定された規定回転数未満である場合には、前記単相交流発電機の出力電圧を前記整流回路により全波整流するように制御し、
一方、前記回転数が前記規定回転数以上である場合には、前記単相交流発電機の出力電圧を前記整流回路により半波整流するように制御する
ことを特徴とする。
【００１３】
前記バッテリ充電装置において、
前記規定回転数は、
前記単相交流発電機の出力電圧を前記整流回路により半波整流する場合において前記整流回路が前記バッテリ端子に出力する第１の充電電流と、前記単相交流発電機の出力電圧を前記整流回路により全波整流する場合において前記整流回路が前記バッテリ端子に出力する第２の充電電流と、が等しくなる前記単相交流発電機の回転数であるようにしてもよい。
【００１４】
前記バッテリ充電装置において、
前記整流回路は、
前記第１の入力端子にアノードが接続され、前記バッテリ端子にカソードが接続された第１の整流素子と、
前記接地端子にアノードが接続され、前記第１の入力端子にカソードが接続された第２の整流素子と、
前記第２の入力端子にアノードが接続され、前記バッテリ端子にカソードが接続された第３の整流素子と、
前記接地端子にアノードが接続され、前記第２の入力端子にカソードが接続された第４の整流素子と、を有し、
前記制御回路は、
前記単相交流発電機の回転数が予め設定された規定回転数未満である場合には、前記第１から第４の整流素子に電流が流れる状態に制御し、
一方、前記回転数が前記規定回転数以上である場合には、前記第２の整流素子と前記第３の整流素子に電流が流れる状態に制御し、且つ、前記第１の整流素子と前記第４の整流素子の少なくとも何れか一方を電流が流れない状態に制御するようにしてもよい。
【００１５】
前記バッテリ充電装置において、
前記制御回路は、
前記単相交流発電機の回転数を検出し、検出した前記回転数に応じて、前記第１から第４の整流素子の少なくとも１つの動作を制御する回転数検出回路を有し、
前記回転数検出回路は、
前記回転数が前記規定回転数未満である場合には、前記第１から第４の整流素子に電流が流れる状態に制御し、
一方、前記回転数が前記規定回転数以上である場合には、前記第２の整流素子と前記第３の整流素子に電流が流れる状態に制御し、且つ、前記第１の整流素子と前記第４の整流素子の少なくとも何れか一方を電流が流れない状態に制御するようにしてもよい。
【００１６】
前記バッテリ充電装置において、
前記制御回路は、
前記バッテリのバッテリ電圧を検出する電圧検出回路をさらに有し、
前記電圧検出回路は、
検出した前記バッテリ電圧が予め設定された目標電圧未満の場合には、少なくとも前記第２の整流素子または前記第４の整流素子の何れか一方に電流が流れる状態に制御し、
一方、検出した前記バッテリ電圧が前記目標電圧以上の場合には、前記第１から第４の整流素子に電流が流れない状態に制御するようにしてもよい。
【００１７】
前記バッテリ充電装置において、
前記第１および第３の整流素子は、ダイオードであり、前記第２および第４の整流素子は、サイリスタであるようにしてもよい。
【００１８】
前記バッテリ充電装置において、
前記バッテリ端子と前記接地との間にスイッチ回路とランプとが直列に接続されるようにしてもよい。
【００１９】
本発明の一態様に係る実施例に従ったバッテリ充電方法は、
単相交流発電機によるバッテリの充電を制御するバッテリ充電装置であって、前記単相交流発電機の一端が接続される第１の入力端子と、前記単相交流発電機の他端が接続される第２の入力端子と、前記バッテリの一端が接続されるバッテリ端子と、接地が接続される接地端子と、前記第１および第２の入力端子に入力された前記単相交流発電機の出力電圧を整流して前記バッテリ端子に出力する整流回路と、前記整流回路を制御する制御回路と、を備えたバッテリ充電装置によるバッテリ充電方法であって、
前記単相交流発電機の回転数が予め設定された規定回転数未満である場合には、前記単相交流発電機の出力電圧を前記整流回路により全波整流するように制御し、
一方、前記回転数が前記規定回転数以上である場合には、前記単相交流発電機の出力電圧を前記整流回路により半波整流するように制御する
ことを特徴とする。
【発明の効果】
【００２０】
本発明の一態様に係るバッテリ充電装置では、単相交流発電機によるバッテリの充電を制御する。
【００２１】
そして、このバッテリ充電装置は、単相交流発電機のコイルの一端が接続される第１の入力端子と、コイルの他端が接続される第２の入力端子と、該バッテリの一端が接続されるバッテリ端子と、接地が接続される接地端子と、第１および第２の入力端子に入力された単相交流発電機の出力電圧を整流してバッテリ端子に出力する整流回路と、整流回路を制御する制御回路と、を備える。
【００２２】
そして、制御回路は、単相交流発電機の回転数が予め設定された規定回転数未満である場合には、単相交流発電機の出力電圧を整流回路により全波整流するように制御し、一方、回転数が規定回転数以上である場合には、単相交流発電機の出力電圧を整流回路により半波整流するように制御する。
【００２３】
特に、上記規定回転数は、単相交流発電機の出力電圧を整流回路により半波整流する場合において整流回路がバッテリ端子に出力する第１の充電電流と、単相交流発電機の出力電圧を整流回路により全波整流する場合において整流回路がバッテリ端子に出力する第２の充電電流と、が等しくなる単相交流発電機の回転数である。
【００２４】
したがって、本発明に係るバッテリ充電装置は、単相交流発電機の回転数が高回転になった場合に、より大きな充電電流を得ることができる。
【００２５】
すなわち、単相交流発電機によるバッテリ充電の制御性の向上を図ることができる。
【図面の簡単な説明】
【００２６】
【図１】図１は、本発明の一態様である実施例１に係るバッテリ充電システム１０００の構成の一例を示す図である。
【図２】図２は、図１に示すバッテリ充電装置１００の充電電流特性の一例を示す図である。
【図３】図３は、従来のバッテリ充電システム１０００Ａの構成の一例を示す図である。
【図４】図４は、図３に示すバッテリ充電装置１００Ａの充電電流特性の一例を示す図である。
【発明を実施するための形態】
【００２７】
以下、本発明に係る各実施例について図面に基づいて説明する。
【実施例１】
【００２８】
図１は、本発明の一態様である実施例１に係るバッテリ充電システム１０００の構成の一例を示す図である。
【００２９】
図１に示すように、バッテリ充電システム１０００は、バッテリＢと、負荷Ｒと、スイッチ回路ＳＷと、ランプＬと、単相交流発電機Ｇと、バッテリ充電装置１００と、を備える。
【００３０】
単相交流発電機Ｇは、一端が第１の入力端子ＴＡ１に接続され且つ他端が第２の入力端子ＴＡ２に接続されたコイルを有する。
【００３１】
この単相交流発電機Ｇは、バッテリＢを充電するとともにランプＬを点灯するための交流電圧を発生し、出力端子からこの交流電圧を供給するようになっている。
【００３２】
この単相交流発電機Ｇは、例えば、バイクのエンジンに直結駆動されるオルタネータである。
【００３３】
バッテリＢは、＋端子（正側）と−端子（負側）を有し、これらの端子を介して充放電可能になっている。なお、このバッテリＢの負側は、接地に接続され、バッテリＢの正側がバッテリ充電装置１００のバッテリ端子ＴＢに接続されている。
【００３４】
このバッテリＢは、例えば、バイクのバッテリである。
【００３５】
負荷Ｒは、接地とバッテリ端子ＴＢとの間で、バッテリＢと並列に接続されるようになっている。この負荷Ｒは、例えば、バイクにおいて電源を必要とする機器等の車両負荷である。
【００３６】
ランプＬは、一端が接地に接続され且つ他端がバッテリ充電装置１００のランプ端子ＴＬに接続されている。このランプＬは、例えば、バイクのヘッドライト、テールランプ等のランプである。
【００３７】
スイッチ回路ＳＷは、接地とバッテリ端子ＴＢとの間で、ランプＬと直列に接続されている。
【００３８】
例えば、ユーザによりこのスイッチ回路ＳＷのオン／オフが制御されることにより、ランプＬの点灯／消灯が制御されることとなる。
【００３９】
また、バッテリ充電装置１００は、単相交流発電機Ｇの出力端子から出力される交流電流を整流し、単相交流発電機ＧによるバッテリＢの充電およびランプＬへの電源供給を制御するようになっている。
【００４０】
ここで、バッテリ充電装置１００は、図１に示すように、第１の入力端子ＴＡ１と、第２の入力端子ＴＡ２と、接地端子ＴＥと、バッテリ端子ＴＢと、整流回路Ｘと、制御回路ＣＯＮと、を備える。    
第１の入力端子ＴＡ１は、単相交流発電機Ｇの（コイルの）一端が接続されるようになっている。
【００４１】
第２の入力端子ＴＡ２は、単相交流発電機Ｇの（コイルの）他端が接続されるようになっている。
【００４２】
バッテリ端子ＴＢは、バッテリＢの一端が接続されるようになっている。
【００４３】
接地端子ＴＥは、接地に接続されるようになっている。
【００４４】
整流回路Ｘは、第１および第２の入力端子ＴＡ１、ＴＡ２に入力された単相交流発電機Ｇの出力電圧を整流してバッテリ端子ＴＢに出力するようになっている。
【００４５】
制御回路ＣＯＮは、整流回路Ｘを制御するようになっている。
【００４６】
この制御回路ＣＯＮは、単相交流発電機Ｇの回転数が予め設定された規定回転数Ｐ未満である場合には、単相交流発電機Ｇの出力電圧を整流回路Ｘにより全波整流するように制御するようになっている。
【００４７】
一方、制御回路ＣＯＮは、単相交流発電機Ｇの回転数が規定回転数Ｐ以上である場合には、単相交流発電機Ｇの出力電圧を整流回路Ｘにより半波整流するように制御するようになっている。
【００４８】
ここで、規定回転数Ｐは、単相交流発電機Ｇの出力電圧を整流回路Ｘにより半波整流する場合において整流回路Ｘがバッテリ端子ＴＢに出力する第１の充電電流と、単相交流発電機Ｇの出力電圧を整流回路Ｘにより全波整流する場合において整流回路Ｘがバッテリ端子ＴＢに出力する第２の充電電流と、が等しくなる単相交流発電機Ｇの回転数である。
【００４９】
整流回路Ｘは、例えば、第１の整流素子Ｓ１と、第２の整流素子Ｓ２と、第３の整流素子Ｓ３と、第４の整流素子Ｓ４と、を有する。
【００５０】
第１の整流素子Ｓ１は、第１の入力端子ＴＡ１にアノードが接続され、バッテリ端子ＴＢにカソードが接続されている。
【００５１】
第２の整流素子Ｓ２は、接地端子ＴＥにアノードが接続され、第１の入力端子ＴＡ１にカソードが接続されている。
【００５２】
第３の整流素子Ｓ３は、第２の入力端子ＴＡ２にアノードが接続され、バッテリ端子ＴＢにカソードが接続されている。
【００５３】
第４の整流素子Ｓ４は、接地端子ＴＥにアノードが接続され、第２の入力端子ＴＡ２にカソードが接続されている。
【００５４】
なお、本実施例では、第１の整流素子Ｓ１および第３の整流素子Ｓ３は、ダイオードであり、第２の整流素子Ｓ２および第４の整流素子Ｓ４は、サイリスタである。
【００５５】
この制御回路ＣＯＮは、単相交流発電機Ｇの回転数が予め設定された規定回転数Ｐ未満である場合には、第１から第４の整流素子Ｓ４に電流が流れる状態に制御する。
【００５６】
すなわち、制御回路ＣＯＮは、回転数が規定回転数Ｐ未満である場合には、第２および第４の整流素子Ｓ２、Ｓ４である２つのサイリスタをオンする。
【００５７】
これにより、単相交流発電機Ｇの出力電圧が整流回路Ｘにより全波整流される。
【００５８】
一方、制御回路ＣＯＮは、単相交流発電機Ｇの回転数が規定回転数Ｐ以上である場合には、第２の整流素子Ｓ２と第３の整流素子Ｓ３に電流が流れる状態に制御し、且つ、第１の整流素子Ｓ１と第４の整流素子Ｓ４の少なくとも何れか一方を電流が流れない状態に制御する。
【００５９】
すなわち、制御回路ＣＯＮは、回転数が規定回転数Ｐ以上である場合には、第２の整流素子Ｓ２であるサイリスタをオンし、且つ第４の整流素子Ｓ４であるサイリスタをオフする。
【００６０】
これにより、単相交流発電機Ｇの出力電圧が整流回路Ｘにより半波整流される。
【００６１】
ここで、制御回路ＣＯＮは、例えば、図１に示すように、電圧検出回路Ｙと、回転数検出回路Ｚと、を有する。
【００６２】
回転数検出回路Ｚは、単相交流発電機Ｇの回転数を検出し、検出した回転数に応じて、第１から第４の整流素子Ｓ１〜Ｓ４の少なくとも１つの動作を制御するようになっている。
【００６３】
この回転数検出回路Ｚは、例えば、第１の入力端子ＴＡ１または第２の入力端子ＴＡ２の信号の周波数に基づいて、単相交流発電機Ｇの回転数を検出するようになっている。
【００６４】
ここで、例えば、回転数検出回路Ｚは、単相交流発電機Ｇの回転数が規定回転数Ｐ未満である場合には、第１から第４の整流素子Ｓ４に電流が流れる状態に制御する。
【００６５】
一方、回転数検出回路Ｚは、単相交流発電機Ｇの回転数が規定回転数Ｐ以上である場合には、第２の整流素子Ｓ２と第３の整流素子Ｓ３に電流が流れる状態に制御し、且つ、第１の整流素子Ｓ１と第４の整流素子Ｓ４の少なくとも何れか一方を電流が流れない状態に制御する。
【００６６】
また、電圧検出回路Ｙは、バッテリＢのバッテリ電圧を検出するようになっている。例えば、電圧検出回路Ｙは、バッテリ端子ＴＢと接地端子ＴＥとの間の電位差に基づいて、バッテリＢのバッテリ電圧を検出する。
【００６７】
この電圧検出回路Ｙは、検出したバッテリ電圧が予め設定された目標電圧未満の場合には、少なくとも第２の整流素子Ｓ２または第４の整流素子Ｓ４の何れか一方に電流が流れる状態に制御するようになっている。
【００６８】
すなわち、この場合、電圧検出回路Ｙは、第２または第４の整流素子（サイリスタ）Ｓ２、Ｓ４の少なくとも何れか一方をオンする。
【００６９】
これにより、バッテリＢに充電電流が供給されて充電される。
【００７０】
一方、電圧検出回路Ｙは、検出したバッテリ電圧が目標電圧以上の場合には、第１から第４の整流素子Ｓ１〜Ｓ４に電流が流れない状態に制御する。
【００７１】
すなわち、この場合、電圧検出回路Ｙは、第２および第４の整流素子（サイリスタ）Ｓ２、Ｓ４をオフする。
【００７２】
これにより、バッテリＢの充電が停止する。
【００７３】
次に、以上のような構成を有するバッテリ充電システム１０００におけるバッテリ充電装置１００によるバッテリ充電方法の一例について、説明する。
【００７４】
ここで、図２は、図１に示すバッテリ充電装置１００の充電電流特性の一例を示す図である。
【００７５】
図２に示すように、規定回転数Ｐは、単相交流発電機Ｇの出力電圧を整流回路Ｘにより半波整流する場合において整流回路Ｘがバッテリ端子ＴＢに出力する第１の充電電流Ｉ１と、単相交流発電機Ｇの出力電圧を整流回路Ｘにより全波整流する場合において整流回路Ｘがバッテリ端子ＴＢに出力する第２の充電電流Ｉ２と、が等しくなる単相交流発電機Ｇの回転数（６０００ｒ／ｍｉｎ）である。
【００７６】
図２に示すように、例えば、単相交流発電機Ｇの回転数が予め設定された規定回転数Ｐ未満である場合、全波整流による第２の充電電流Ｉ２は、半波整流による第１の充電電流Ｉ１よりも、大きい。
【００７７】
そこで、既述のように、制御回路ＣＯＮは、単相交流発電機Ｇの回転数が予め設定された規定回転数Ｐ未満である場合には、単相交流発電機Ｇの出力電圧を整流回路Ｘにより全波整流するように制御する。
【００７８】
一方、相交流発電機Ｇの回転数が予め設定された規定回転数Ｐ以上である場合、全波整流による第２の充電電流Ｉ２は、半波整流による第１の充電電流Ｉ１よりも、小さい。
【００７９】
そこで、既述のように、制御回路ＣＯＮは、単相交流発電機Ｇの回転数が規定回転数Ｐ以上である場合には、単相交流発電機Ｇの出力電圧を整流回路Ｘにより半波整流するように制御する。
【００８０】
この制御回路ＣＯＮによる半波整流と全波整流と切換により、単相交流発電機Ｇの回転数が低回転から高回転に変動する場合に、より大きな充電電流を得ることができる。  
以上のように、本発明の一態様に係るバッテリ充電装置では、単相交流発電機Ｇによるバッテリの充電を制御する。
【００８１】
そして、このバッテリ充電装置は、単相交流発電機Ｇのコイルの一端が接続される第１の入力端子ＴＡ１と、コイルの他端が接続される第２の入力端子ＴＡ２と、バッテリＢの一端が接続されるバッテリ端子ＴＢと、接地が接続される接地端子と、第１および第２の入力端子ＴＡ２に入力された単相交流発電機Ｇの出力電圧を整流してバッテリ端子ＴＢに出力する整流回路Ｘと、整流回路Ｘを制御する制御回路ＣＯＮと、を備える。
【００８２】
そして、制御回路ＣＯＮは、単相交流発電機Ｇの回転数が予め設定された規定回転数Ｐ未満である場合には、単相交流発電機Ｇの出力電圧を整流回路Ｘにより全波整流するように制御し、一方、回転数が規定回転数Ｐ以上である場合には、単相交流発電機Ｇの出力電圧を整流回路Ｘにより半波整流するように制御する。
【００８３】
特に、上記規定回転数Ｐは、単相交流発電機Ｇの出力電圧を整流回路Ｘにより半波整流する場合において整流回路Ｘがバッテリ端子ＴＢに出力する第１の充電電流と、単相交流発電機Ｇの出力電圧を整流回路Ｘにより全波整流する場合において整流回路Ｘがバッテリ端子ＴＢに出力する第２の充電電流と、が等しくなる単相交流発電機Ｇの回転数である。
【００８４】
したがって、既述のように、本発明に係るバッテリ充電装置は、単相交流発電機Ｇの回転数が高回転になった場合に、より大きな充電電流を得ることができる。
【００８５】
すなわち、単相交流発電機Ｇによるバッテリ充電の制御性の向上を図ることができる。
【００８６】
なお、実施例では、第１および第３の整流素子Ｓ１、Ｓ３は、ダイオードであり、第２および第４の整流素子Ｓ４は、サイリスタである場合について説明した。
【００８７】
この場合、例えば、既述のように、制御回路ＣＯＮは、回転数が規定回転数Ｐ未満である場合には、第２および第４の整流素子Ｓ２、Ｓ４である２つのサイリスタをオンし、一方、回転数が規定回転数Ｐ以上である場合には、第２の整流素子Ｓ２であるサイリスタをオンし、且つ第４の整流素子Ｓ４であるサイリスタをオフした。
【００８８】
しかし、第１および第３の整流素子Ｓ１、Ｓ３は、サイリスタであり、第２および第４の整流素子Ｓ２、Ｓ４は、ダイオードであってもよい。
【００８９】
この場合、例えば、制御回路ＣＯＮは、回転数が規定回転数Ｐ未満である場合には、第１および第３の整流素子Ｓ１、Ｓ３である２つのサイリスタをオンし、一方、回転数が規定回転数Ｐ以上である場合には、第１の整流素子Ｓ１であるサイリスタをオフし、且つ第３の整流素子Ｓ３であるサイリスタをオンするようにしてもよい。
【００９０】
これにより、実施例と同様に、単相交流発電機Ｇの回転数が高回転になった場合に、より大きな充電電流を得ることができる。
【００９１】
すなわち、実施例と同様に、単相交流発電機Ｇによるバッテリ充電の制御性の向上を図ることができる。
【００９２】
また、第１から第４の整流素子Ｓ１〜Ｓ４は、サイリスタであってもよい。
【００９３】
この場合、制御回路ＣＯＮは、回転数が規定回転数Ｐ未満である場合には、第１から第４の整流素子Ｓ１〜Ｓ４である４つのサイリスタをオンし、一方、回転数が規定回転数Ｐ以上である場合には、第２および第３の整流素子Ｓ２、Ｓ３である２つのサイリスタをオンし、且つ第１および第４の整流素子Ｓ１、Ｓ４である２つのサイリスタの何れか一方をオフするようにしてもよい。
【００９４】
これにより、実施例と同様に、単相交流発電機Ｇの回転数が高回転になった場合に、より大きな充電電流を得ることができる。
【００９５】
すなわち、実施例と同様に、単相交流発電機Ｇによるバッテリ充電の制御性の向上を図ることができる。
【００９６】
実施例は例示であり、発明の範囲はそれらに限定されない。
【符号の説明】
【００９７】
１００、１００Ａ  バッテリ充電装置
１０００、１０００Ａ  バッテリ充電システム
Ｂ  バッテリ
Ｒ  負荷
ＳＷ  スイッチ回路
Ｌ  ランプ
Ｇ  単相交流発電機
ＴＡ１  第１の入力端子
ＴＡ２  第２の入力端子  
ＴＥ  接地端子
ＴＢ  バッテリ端子
Ｓ１  第１の整流素子
Ｓ２  第２の整流素子
Ｓ３  第３の整流素子
Ｓ４  第４の整流素子
ＣＯＮ  制御回路
Ｘ  整流回路
Ｙ  電圧検出回路
Ｚ  回転数検出回路
Ｐ  規定回転数
Ｉ１  第１の充電電流
Ｉ２  第２の充電電流
【図１】
2014131415.tif 000003
【図２】
2014131415.tif 000004
【図３】
2014131415.tif 000005
【図４】
2014131415.tif 000006